(57)【要約】【課題】上管台が前後から押されても下管台から外れるのを防ぐことができる管台セットを提供する。【解決手段】下管台３の第一部材３１の上面３１１には、回転ガイド溝３３が設けられており、上管台２の第二部材２２の底面２２１には、ガイド突起２５が設けられている。作業者は、第二部材２２を第一部材３１に斜めに載せて第二部材２２を前方Ｆへ所定角度回転させる。これにより、第二部材２２のガイド突起２５が第一部材３１の回転ガイド溝３３の後端３３ｂに挿入され、このガイド突起２５は回転ガイド溝３３に係合しながら組み付け位置３３ｓまで移動する。その結果、第二部材２２は、第一部材３１と上下で並列して位置されて、第二部材２２の組み付け作業が終了する。【選択図】図３
2010142068.tif 000002
【特許請求の範囲】
【請求項１】
内部にケーブル収容管を挿通させるための保持穴を有する下管台の上面に、前記保持穴を有する上管台の底面を組み付けて構成される管台セットであって、
前記上管台の底面または前記下管台の上面の一方側の面には、円形状のガイド突起が設けられ、他方側の面には、当該他方側の面の前後端の一方から他方側へ延びる円弧状の回転ガイド溝が設けられ、
この回転ガイド溝は、前記上管台の組み付け時に、前記上管台を前記下管台に斜めに載せることにより当該回転ガイド溝内に前記ガイド突起を挿入させ、この状態から前記上管台が前記下管台に上下で並列するように前記上管台を前方または後方へ所定角度回転させることにより、前記ガイド突起を当該回転ガイド溝に係合させながら当該回転ガイド溝内に設定されている組み付け位置まで移動させるように構成されていることを特徴とする管台セット。
【請求項２】
前記一方側の面には、左右一方側の部分に、前記ガイド突起が設けられ、左右他方側の部分に、円形状のガイド補助突起または、当該部分の前後端の一方から他方側へ延びる円弧状の回転ガイド補助溝が設けられ、
前記他方側の面には、左右一方側の部分に、前記回転ガイド溝が設けられ、左右他方側の部分に、前記一方側の面のガイド補助突起に対応して当該部分の前後端の一方から他方側へ延びる円弧状の回転ガイド補助溝または、前記一方側の面の回転ガイド補助溝に対応して円形状のガイド補助突起が設けられ、
前記回転ガイド補助溝は、前記上管台の組み付け時に、当該回転ガイド補助溝内に前記ガイド補助突起を挿入させて前記上管台を前記下管台の上面に斜めに載せ、この状態から前記上管台が前記下管台に上下で並列するように前記上管台を前方または後方へ所定角度回転させることにより、前記ガイド補助突起を当該回転ガイド補助溝に係合させながら当該回転ガイド補助溝内に設定されている組み付け位置まで移動させるとともに、前記ガイド突起を前記回転ガイド溝内に挿入させて当該回転ガイド溝に係合させながら当該回転ガイド溝内の組み付け位置まで移動させるように構成されていることを特徴とする請求項１に記載の管台セット。
【請求項３】
前記回転ガイド溝は、前記他方側の面の前後端を繋いで設けられ、前記回転ガイド補助溝は、前記一方側の面の前後端または前記他方側の面の前後端を繋いで設けられていることを特徴とする請求項１または請求項２に記載の管台セット。
【請求項４】
前記一方側の面または前記他方側の面の少なくとも一方には、前記回転ガイド補助溝の組み付け位置または前記回転ガイド溝の組み付け位置の少なくとも一方に結合して左右方向に延びる直線状の横ガイド溝が設けられ、この横ガイド溝は、前記組み付け位置に位置している前記ガイド突起または前記ガイド補助突起の少なくとも一方を当該横ガイド溝に係合させながら当該横ガイド溝内を移動させることにより、前記上管台を前記下管台の上面で左右にスライド移動させるように構成されていることを特徴とする請求項１〜請求項３のいずれか１項に記載の管台セット。
【発明の詳細な説明】
【技術分野】
【０００１】
本件発明は、上管台と下管台とから構成される管台セットに関する。
【背景技術】
【０００２】
従来より、電力ケーブルや通信ケーブル等のケーブルを地下に埋設する場合には、地下に設置されている共同溝に複数のケーブル収容管を配置し、各ケーブル収容管に電力ケーブルや通信ケーブルを収容している。このときに、二つのケーブル収容管を上下に並列して配置する場合には、例えば、特許文献１に記載されているような管台セット１２が使用されている。
【０００３】
この管台セット１２は、下管台１４の上面に上管台１３の底面を組み付けることにより構成されている。双方の管台１３、１４の内部には、保持穴１３ｇ、１７が設けられている。各保持穴１３ｇ、１７は、ケーブル収容管１０、１１を挿通するように構成されており、これによって管台セット１２は、ケーブル収容管１０、１１を上下に並列して配置することが可能になっている。
【特許文献１】特開２００８−１５７３７６号公報
【発明の開示】
【発明が解決しようとする課題】
【０００４】
しかしながら、従来の管台セット１２は、上管台１３が下管台１４に対して前後にスライド移動するように構成されている。このため、例えば、ケーブル収容管１０、１１の挿通時に、上管台１３が作業者によって前後から押されると、上管台１３が動いて下管台１４から外れてしまう問題があった。
【０００５】
本件発明は、かかる従来の課題に鑑みてなされたものであり、上管台が前後から押されても下管台から外れるのを防ぐことができる管台セットを提供することを目的とする。
【課題を解決するための手段】
【０００６】
前記課題を解決するために本件発明の請求項１に記載の管台セットは、内部にケーブル収容管を挿通させるための保持穴を有する下管台の上面に、前記保持穴を有する上管台の底面を組み付けて構成される管台セットであって、前記上管台の底面または前記下管台の上面の一方側の面には、円形状のガイド突起が設けられ、他方側の面には、当該他方側の面の前後端の一方から他方側へ延びる円弧状の回転ガイド溝が設けられ、この回転ガイド溝は、前記上管台の組み付け時に、前記上管台を前記下管台に斜めに載せることにより当該回転ガイド溝内に前記ガイド突起を挿入させ、この状態から前記上管台が前記下管台に上下で並列するように前記上管台を前方または後方へ所定角度回転させることにより、前記ガイド突起を当該回転ガイド溝に係合させながら当該回転ガイド溝内に設定されている前記上管台の組み付け位置まで移動させるように構成されていることを特徴としている。
【０００７】
また、本件発明の請求項２に記載の管台セットは、請求項１に記載の管台セットにおいて、前記一方側の面には、左右一方側の部分に、前記ガイド突起が設けられ、左右他方側の部分に、円形状のガイド補助突起または、当該部分の前後端の一方から他方側へ延びる円弧状の回転ガイド補助溝が設けられ、前記他方側の面には、左右一方側の部分に、前記回転ガイド溝が設けられ、左右他方側の部分に、前記一方側の面のガイド補助突起に対応して当該部分の前後端の一方から他方側へ延びる円弧状の回転ガイド補助溝または、前記一方側の面の回転ガイド補助溝に対応して円形状のガイド補助突起が設けられ、前記回転ガイド補助溝は、前記上管台の組み付け時に、当該回転ガイド補助溝内に前記ガイド補助突起を挿入させて前記上管台を前記下管台の上面に斜めに載せ、この状態から前記上管台が前記下管台に上下で並列するように前記上管台を前方または後方へ所定角度回転させることにより、前記ガイド補助突起を当該回転ガイド補助溝に係合させながら当該回転ガイド補助溝内に設定されている前記上管台の組み付け位置まで移動させるとともに、前記ガイド突起を前記回転ガイド溝内に挿入させて当該回転ガイド溝に係合させながら当該回転ガイド溝内の組み付け位置まで移動させるように構成されていることを特徴としている。
【０００８】
また、本件発明の請求項３に記載の管台セットは、請求項１または請求項２に記載の管台セットにおいて、前記回転ガイド溝は、前記他方側の面の前後端を繋いで設けられ、前記回転ガイド補助溝は、前記一方側の面の前後端または前記他方側の面の前後端を繋いで設けられていることを特徴としている。
【０００９】
また、本件発明の請求項４に記載の管台セットは、請求項１〜請求項３のいずれか１項に記載の管台セットにおいて、前記一方側の面または前記他方側の面の少なくとも一方には、前記回転ガイド補助溝の組み付け位置または前記回転ガイド溝の組み付け位置の少なくとも一方に結合して左右方向に延びる直線状の横ガイド溝が設けられ、この横ガイド溝は、前記組み付け位置に位置している前記ガイド突起または前記ガイド補助突起の少なくとも一方を当該横ガイド溝に係合させながら当該横ガイド溝内を移動させることにより、前記上管台を前記下管台の上面で左右にスライド移動させるように構成されていることを特徴としている。
【発明の効果】
【００１０】
本件発明の請求項１に記載の管台セットでは、上管台と下管台にガイド突起と回転ガイド溝を設け、上管台を回転させることにより上管台が下管台に組み付けられるようにした。したがって、例えば、ケーブル収容管の挿通時に、作業者等によって上管台が前後から押されても、ガイド突起が回転ガイド溝に係止されるので上管台が動いてしまうことはない。よって、請求項１に記載の管台セットは、上管台が前後から押されても下管台から外れるのを防ぐことができる。
【００１１】
さらに、本件発明の請求項２に記載の管台セットでは、ガイド補助突起と回転ガイド補助溝を設け、ガイド補助突起が回転ガイド補助溝内を移動することにより、ガイド突起を回転ガイド溝内に挿入させて移動するようにした。このため、上管台はガイド補助突起を軸にして回転するので、上管台の回転操作性が良くなる。よって、請求項２に記載の管台セットは、上管台の組み付け作業性を向上させることができる。
【００１２】
さらに、本件発明の請求項３に記載の管台セットでは、回転ガイド溝や回転ガイド補助溝を、上管台の底面の前後端や下管台の上面の前後端を繋ぐように設けた。このため、作業者は、設置状況に応じて、上管台の組み付け作業を下管台の前後いずれからでも開始することが可能になる。よって請求項３に記載の管台セットは、上管台の組み付け作業性をさらに向上させることができる。
【００１３】
また、本件発明の請求項４に記載の管台セットでは、回転ガイド溝や回転ガイド補助溝に横ガイド溝を結合して設け、ガイド突起やガイド補助突起が横ガイド溝内を移動することにより、上管台が下管台の上面で左右にスライド移動するようにした。したがって、曲がったケーブル収容管を上下に並列して配置する場合でも、上管台を左右一方にスライド移動させて所定位置に配置させることにより、双方のケーブル収容管を各管台の保持穴に容易に挿通させることが可能になる。よって、請求項４に記載の管台セットは、曲がったケーブル収容管も安定して保持することができる。
【発明を実施するための最良の形態】
【００１４】
以下、本件発明の実施の形態を図にしたがって説明する。
【００１５】
図１は、本件発明の一実施の形態を示す管台セット１の正面図である。この管台セット１は、上管台２と、下管台３とから構成されている。
【００１６】
まず、下管台３の構造について説明する。この下管台３は、外形形状が直方体状であり、第一部材３１と第二部材３２とが上下に結合して構成されている。
【００１７】
第二部材３２の上面側には、断面半円状の凹部３２ｈが形成されている。一方、第一部材３１の底面側にも、断面半円状の凹部３１ｈが形成されている。双方の凹部３１ｈ、３２ｈは、下管台３の保持穴３ｈを形成している。この保持穴３ｈにはケーブル収容管１０が挿通され、このケーブル収容管１０には複数のケーブル１０ａが収容される。
【００１８】
また、図２に示すように、第一部材３１の上面３１１（下管台３の上面）の左側部分には、回転ガイド溝３３と横ガイド溝３４とが設けられている。
【００１９】
回転ガイド溝３３は、上面３１１の左側部分の前後端３１１ａ、３１１ｂを繋ぐように設けられており、左側へ湾曲した円弧状に形成されている。
【００２０】
また、横ガイド溝３４は直線状に形成されており、第一部材３１の左右方向と平行に配置されている。具体的には、横ガイド溝３４は、上面３１１の左端３１１ｃの中間部分から回転ガイド溝３３の中間部３３ｓ（組み付け位置）を通って右端３１１ｄ側に延びている。
【００２１】
一方、上面３１１の右側部分の中央にには、ガイド補助突起３５が設けられている。このガイド補助突起３５は円形状に形成されている。
【００２２】
次に、上管台２の構造について説明する。図１に示すように、上管台２は、外形形状が直方体状であり、横幅が下管台３よりも短く設定されている。さらに、この上管台２は、第一部材２１と第二部材２２とが上下に結合して構成されている。
【００２３】
第一部材２１の底面側には、断面半円状の凹部２１ｈが形成されている。一方、第二部材２２の上面側にも、断面半円状の凹部２２ｈが形成されている。双方の凹部２１ｈ、２２ｈは、上管台２の保持穴２ｈを形成している。この保持穴２ｈにはケーブル収容管１１が挿通され、このケーブル収容管１１には複数のケーブル１１ａが収容される。
【００２４】
また、図２に示すように、第二部材２２の底面２２１（上管台２の底面）の左側部分には、ガイド突起２５が設けられている。このガイド突起２５は円形状に形成されている。また、このガイド突起２５は、組み付け時に、下管台３側の回転ガイド溝３３や横ガイド溝３４に対応するものであり、回転ガイド溝３３や横ガイド溝３４に係合しながら移動するように形成されている。
【００２５】
一方、第二部材２２の底面２２１の右側部分には、回転ガイド補助溝２３と横ガイド溝２４とが設けられている。
【００２６】
回転ガイド補助溝２３は、底面２２１の右側部分の前後端２２１ａ、２２１ｂを繋ぐように設けられており、左側へ湾曲した円弧状に形成されている。
【００２７】
横ガイド溝２４は、直線状に形成されており、第二部材２２の左右方向と平行に配置されている。具体的には、横ガイド溝２４は、底面２２１の右端２２１ｄの中間部から回転ガイド補助溝２３の中間部２３ｓ（組み付け位置）を通って左端２２１ｃ側へ延びている。また、回転ガイド補助溝２３および横ガイド溝２４は、組み付け時に、下管台３側のガイド補助突起３５に対応するものであり、ガイド補助突起３５が係合しながら移動するように形成されている。
【００２８】
以上のように構成されている管台セット１において、上管台２の組み付け作業について説明する。本実施の形態の管台セット１では、上管台２の第二部材２２が下管台３の第一部材３１に組み付けられるため、この第二部材２２の組み付け作業について説明する。
【００２９】
作業者は、まず、図３に示すように、第二部材２２の回転ガイド補助溝２３の前端部２３ａ内に第一部材３１のガイド補助突起３５を挿入して、図４に示すように第二部材２２を第一部材３１に対して斜めに位置するように載せる。これにより、第二部材２２の左側部分が第一部材３１の後方側に位置する。
【００３０】
次に、作業者は、第二部材２２を前方Ｆへ所定角度回転させる。これにより、図３と図５に示すように、第一部材３１のガイド補助突起３５は、第二部材２２の回転ガイド補助溝２３に係合しながら回転ガイド補助溝２３内の組み付け位置２３ｓまで移動する。
【００３１】
これに伴い、第二部材２２のガイド突起２５が第一部材３１の回転ガイド溝３３の後端部３３ｂ内に挿入されて、このガイド突起２５は回転ガイド溝３３に係合しながら回転ガイド溝３３内の組み付け位置３３ｓまで移動する。その結果、図６に示すように、第二部材２２は第一部材３１と上下で並列して位置されて、第二部材２２の組み付け作業が終了する。
【００３２】
このように本実施の形態の管台セット１では、第二部材２２を回転させることによって、第二部材２２が第一部材３１に組み付けられる。したがって、例えば、ケーブル収容管１０、１１（図１参照）の挿通時に、作業者等によって上管台２が前後から押されても、双方の突起２５、３５が溝３３、２３に係止されるので上管台２が動かない。よって、本実施の形態の記載の管台セット１は、上管台２が前後から押されても下管台３から外れるのを防ぐことができる。
【００３３】
さらに、本実施の形態の管台セット１では、第二部材２２の組み付け時に、ガイド補助突起３５が回転ガイド補助溝２３内を移動することにより、ガイド突起２５を回転ガイド溝３３に挿入させて移動するようにした。したがって、第二部材２２は、ガイド補助突起３５を軸にして回転するので、第二部材２２の回転操作性が良くなる。よって、本実施の形態の管台セット１は、上管台２の組み付け作業性を向上させることができる。
【００３４】
さらに、本実施の形態の管台セット１では、回転ガイド溝３３を第一部材３１の上面３１１の前後端３１１ａ、３１１ｂを繋ぐように設け、回転ガイド補助溝２３を第二部材２２の底面２２１の前後端２２１ａ、２２１ｂを繋ぐように設けている。
【００３５】
このため、図７に示すように、作業者は、第二部材２２の回転ガイド補助溝２３の後端部２３ｂ内に第一部材３１のガイド補助突起３５を挿入して、第二部材２２を後方Ｂへ所定角度回転させることにより、第二部材２２のガイド突起２５を第一部材３１の回転ガイド溝３３の前端部３３ａ内に挿入させて第二部材２２を第一部材３１に組み付けることができる。したがって、本実施の形態の管台セット１は、設置状況に応じて、第二部材２２の組み付け作業を、第一部材３１の後側からだけでなく前側からでも開始することが可能になるので、上管台２の組み付け作業性をさらに向上させることができる。
【００３６】
また、本実施の形態の管台セット１では、第一部材３１と第二部材２２とに横ガイド溝３４、２４が設けられている。このため、作業者は、第二部材２２を図５の状態から左Ｌへ動かすと、第二部材２２のガイド突起２５が組み付け位置３３ｓから横ガイド溝３４に係合しながら横ガイド溝３４内を図８に示すように左へ移動する。また、このガイド突起２５の移動にあわせて、第一部材３１のガイド補助突起３５は、組み付け位置２３ｓから横ガイド溝２４に係合しながら横ガイド溝２４内を右へ移動する。
【００３７】
このようにしてガイド突起２５とガイド補助突起３５が移動すると、図６と図９に示すように、第二部材２２は第一部材３１の上面３１１を左Ｌにスライド移動する。また、図示しないが、作業者が第二部材２２を図５の状態から右に動かす場合も、ガイド突起２５とガイド補助突起３５が移動することにより、第二部材２２は第一部材３１の上面３１１を右にスライド移動する。
【００３８】
したがって、本実施の形態の管台セット１は、第二部材２２を第一部材３１の上面３１１で左右にスライド移動させることができる。このため、作業者は、ケーブル収容管１０、１１が曲がったものであっても、上管台２（第二部材２２）を左右一方にスライド移動させて所定位置に配置させれば、これらのケーブル収容管１０、１１を各保持穴２ｈ、３ｈに容易に挿通させることができる。よって、本実施の形態の管台セット１は、曲がったケーブル収容管も安定して保持することができる。
【００３９】
以上、本件発明にかかる実施の形態を例示したが、この実施の形態は本件発明の内容を限定するものではない。また、本件発明の要旨を逸脱しない範囲であれば、各種の変更等は可能である。
【００４０】
本実施の形態の管台セット１では、上管台２側にガイド突起２５と回転ガイド補助溝２３を設け、下管台３側に回転ガイド溝３３とガイド補助突起３５を設けている。しかし、これらの突起２５、３５や溝２３、３３の配置位置は本実施の形態に限定されない。つまり、ガイド突起２５と回転ガイド溝３３、回転ガイド補助溝２３とガイド補助突起３５がそれぞれ対応するように上管台２と下管台３とに配置されれば良い。
【００４１】
例えば、図１０に示すように、上管台２００の底面にガイド突起２２５とガイド補助突起２３５を設け、下管台３００の上面に回転ガイド溝３３３と回転ガイド補助溝３２３を設けても良い。また、回転ガイド溝３３３に横ガイド溝３３４を結合し、回転ガイド補助溝３２３に横ガイド溝３２４結合して設けても良い。
【００４２】
また、上管台と下管台には少なくともガイド突起と回転ガイド溝が設置されれば良い。この場合でも、作業者が上管台を回転させることにより上管台が下管台に組み付けられることから、本実施の形態と同様に、上管台が前後から押されても下管台から外れるのを防ぐことができる。
【産業上の利用可能性】
【００４３】
以上説明したように本件発明の管台セットは、上管台が前後から押されても下管台から外れるのを防ぐことができる。よって、本件発明の管台セットを、管台の技術分野で十分に利用することができる。
【図面の簡単な説明】
【００４４】
【図１】本件発明の一実施の形態を示す管台セットの正面図である。
【図２】上管台および下管台の組み付け部分を示す斜視図である。
【図３】上管台の組み付け開始の状態を示す模式図である。
【図４】図３の状態を示す斜視図である。
【図５】上管台が下管台に組み付けられた状態を示す模式図である。
【図６】図５の状態を示す斜視図である。
【図７】上管台の組み付け開始の状態を示す模式図である。
【図８】図５の状態から上管台を左に移動させた状態を示す模式図である。
【図９】図８の状態を示す斜視図である。
【図１０】図２の変形例を示す模式図である。
【符号の説明】
【００４５】
１    管台セット
２    上管台
２ｈ    保持穴
３    下管台
３ｈ    保持穴
２２    第二部材
２３    回転ガイド補助溝
２３ｓ    組み付け位置
２４    横ガイド溝
２５    ガイド突起
３１    第一部材
３５    ガイド補助突起
３３    回転ガイド溝
３３ｓ    組み付け位置
３４    横ガイド溝
２００    第二部材
２２１    底面
２２１ａ    底面の前端
２２１ｂ    底面の後端
２２５    ガイド突起
２３５    ガイド補助突起
３００    第一部材
３１１    上面
３１１ａ    上面の前端
３１１ｂ    上面の後端
３２３    回転ガイド補助溝
３２４    横ガイド溝
３３３    回転ガイド溝
３３４    横ガイド溝
【図１】
2010142068.tif 000003
【図２】
2010142068.tif 000004
【図３】
2010142068.tif 000005
【図４】
2010142068.tif 000006
【図５】
2010142068.tif 000007
【図６】
2010142068.tif 000008
【図７】
2010142068.tif 000009
【図８】
2010142068.tif 000010
【図９】
2010142068.tif 000011
【図１０】
2010142068.tif 000012